(57)【要約】【課題】袋体の開口部を開く際に指が滑り難く、容易に開口部を開くことができる嵌合具、及び該嵌合具を備えた嵌合具付き袋体の提供を目的とする。【解決手段】一対の帯状の第１の基材１１及び第２の基材１２と、それら基材のそれぞれの対向面１１ａ，１２ａに長手方向に沿って設けられた、互いに着脱自在に嵌合する雄側嵌合部１３及び雌側嵌合部１４と、第１の基材１１の対向面１１ａ及び第２の基材１２の対向面１２ａに長手方向に沿って設けられた第１のリブ１５ａ〜１５ｄ及び第２のリブ１６ａ〜１６ｄと、を有し、第１のリブ１５ａ〜１５ｄ及び第２のリブ１６ａ〜１６ｄが雄側嵌合部１３及び雌側嵌合部１４よりも軟質である嵌合具１０。【選択図】図１
2014039652.tif 000002
【特許請求の範囲】
【請求項１】
一対の帯状の基材と、
前記一対の基材のそれぞれの対向面に長手方向に沿って設けられた、互いに着脱自在に嵌合する一対の嵌合部と、
前記一対の基材の少なくとも一方の対向面に長手方向に沿って設けられたリブと、を有し、
前記リブが前記嵌合部よりも軟質であることを特徴とする嵌合具。
【請求項２】
前記リブの曲げ弾性率が３００ＭＰａ以下である請求項１に記載の嵌合具。
【請求項３】
内容物を収容する袋本体と、該袋本体の開口部の内面に設けられた請求項１又は２に記載の嵌合具とを具備する嵌合具付き袋体。
【発明の詳細な説明】
【技術分野】
【０００１】
本発明は、嵌合具及び嵌合具付き袋体に関する。
【背景技術】
【０００２】
食品、薬品、雑貨等の様々な分野において、袋本体の開口部近傍の内面に、開口部を開閉自在に封じる嵌合具が取り付けられた嵌合具付き袋体が広く用いられている。嵌合具としては、例えば、一対の帯状の基材のそれぞれの対向面に、突条の雄側嵌合部及び該雄側嵌合部に着脱自在に嵌合する雌側嵌合部が、それら基材の長手方向に沿ってそれぞれ設けられた嵌合具が知られている。嵌合具付き袋体においては、該嵌合具が袋体の開口部近傍の内面に取り付けられ、嵌合具の雄側嵌合部と雌側嵌合部とを嵌合することにより、袋体の開口部を閉じることができる。また、袋本体の各々の開口端をそれぞれ把持し、それらを離間する方向に引っ張り、嵌合具の雄側嵌合部を雌側嵌合部から脱離させることで、開口部を開くことができる。
【０００３】
しかし、このような嵌合具付き袋体では、袋体の開口部を開く際、袋本体の開口端を掴んだ指が滑り、嵌合具に力がうまく伝わらずに開口部を開くことが困難なことがある。
一方、袋体に取り付けた嵌合具における対向面の開口部側に、リブが設けられた嵌合具が提案されている（例えば、特許文献１）。該嵌合具は、開口部を開く際にリブに指を引っ掛けることができるため、リブがない場合に比べて指が滑り難く、嵌合具を開くことが容易になる。
しかし、特許文献１のような嵌合具を用いた場合でも、開口部を開く際に指が滑ることを抑制する効果が充分でないことがある。そのため、さらに指が滑り難く、容易に開口部を開くことができる嵌合具が求められている。
【先行技術文献】
【特許文献】
【０００４】
【特許文献１】特開２００７−１１９０４３号公報
【発明の概要】
【発明が解決しようとする課題】
【０００５】
本発明は、袋体の開口部を開く際に指が滑り難く、容易に開口部を開くことができる嵌合具、及び該嵌合具を備えた嵌合具付き袋体の提供を目的とする。
【課題を解決するための手段】
【０００６】
本発明の嵌合具は、一対の帯状の基材と、前記一対の基材のそれぞれの対向面に長手方向に沿って設けられた、互いに着脱自在に嵌合する一対の嵌合部と、前記一対の基材の少なくとも一方の対向面に長手方向に沿って設けられたリブと、を有し、前記リブが前記嵌合部よりも軟質であることを特徴とする。
本発明の嵌合具は、前記リブの曲げ弾性率が３００ＭＰａ以下であることが好ましい。
【０００７】
本発明の嵌合具付き袋体は、内容物を収容する袋本体と、該袋本体の開口部の内面に設けられた本発明の嵌合具とを具備する。
【発明の効果】
【０００８】
本発明の嵌合具を用いれば、袋体の開口部を開く際に指が滑り難く、容易に開口部を開くことができる。
また、本発明の嵌合具付き袋体は、袋体の開口部を開く際に指が滑り難く、容易に開口部を開くことができる。
【図面の簡単な説明】
【０００９】
【図１】本発明の嵌合具を示した断面図である。
【図２】本発明の嵌合具付き袋体を示した正面図である。
【図３】図２の嵌合具付き袋体を直線Ｉ−Ｉ’で切断したときの断面図である。
【図４】図２の嵌合具付き袋体を開封した様子を示した斜視図である。
【発明を実施するための形態】
【００１０】
以下、本発明の嵌合具の一例を図１に基づいて説明する。図１は、本発明の嵌合具の一例である嵌合具１０を幅方向に沿って切断したときの断面図である。
嵌合具１０は、図１に示すように、一対の帯状の第１の基材１１及び第２の基材１２と、第１の基材１１及び第２の基材１２のそれぞれに設けられた突条の雄側嵌合部１３及び雄側嵌合部１３に着脱自在に嵌合する雌側嵌合部１４と、第１の基材１１及び第２の基材１２のそれぞれに設けられた第１のリブ１５ａ〜１５ｄ及び第２のリブ１６ａ〜１６ｄと、を有している。
【００１１】
雄側嵌合部１３は、第１の基材１１の対向面１１ａに、第１の基材１１の長手方向に沿って設けられている。雌側嵌合部１４は、第２の基材１２の対向面１２ａに、第２の基材１２の長手方向に沿って設けられている。
第１のリブ１５ａ〜１５ｄは、第１の基材１１の対向面１１ａにおける一方の側端１１ｃ（以下、単に「側端１１ｃ」という。）と雄側嵌合部１３の間に、第１の基材１１の長手方向に沿って設けられている。第２のリブ１６ａ〜１６ｄは、第２の基材１２の対向面１２ａにおける一方の側端１２ｃ（以下、単に「側端１２ｃ」という。）と雌側嵌合部１４の間に、第２の基材１２の長手方向に沿って設けられている。
嵌合具１０は、第１の基材１１の側端１１ｃと第２の基材１２の側端１２ｃを袋体に形成する開口部側とし、第１の基材１１の他方の側端１１ｄ（以下、単に「側端１１ｄ」という。）と、第２の基材１２の他方の側端１２ｄ（以下、単に「側端１２ｄ」という。）を袋体の内容物側とするように袋本体に取り付ける。つまり、嵌合具１０は、第１のリブ１５ａ〜１５ｄと、第２のリブ１６ａ〜１６ｄが袋体の開口部側となるように取り付けられる。
【００１２】
第１の基材１１は、特に限定されず、公知の嵌合具の基材に使用されるものが使用でき、積層フィルムからなる基材が好ましい。積層フィルムからなる第１の基材１１としては、例えば、対向面１１ａ側から、耐熱層とヒートシール層が積層されたフィルムが挙げられる。また、第１の基材１１は、耐熱層とヒートシール層の間にバリア層を有していてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
【００１３】
第１の基材１１は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
また、第１の基材１１は、積層フィルムからなる基材には限定されず、単層フィルムからなる基材であってもよい。
第２の基材１２としては、第１の基材１１と同じ基材が挙げられ、好ましい態様も同じである。
【００１４】
雄側嵌合部１３は、第１の基材１１の対向面１１ａから立ち上がる幹部１３ａと、幹部１３ａの先端側に設けられ、幹部１３ａよりも大きい頭部１３ｂを有している。雌側嵌合部１４は、第２の基材１２の対向面１２ａから断面円弧状に立ち上がる一対の第１のアーム部１４ａと第２のアーム部１４ｂからなり、第１のアーム部１４ａと第２のアーム部１４ｂによって凹部１４ｃが形成されている。
雄側嵌合部１３と雌側嵌合部１４は、雄側嵌合部１３の頭部１３ｂを雌側嵌合部１４の凹部１４ｃに嵌め込むことで、着脱自在に嵌合できるようになっている。
【００１５】
雄側嵌合部１３及び雌側嵌合部１４の断面形状は、雄側嵌合部１３と雌側嵌合部１４を互いに着脱することで、袋本体の開口部の開閉が繰り返し行えるものであればよい。例えば、雌側嵌合部は、第２の基材１２の対向面１２ａから立ち上がる首部と、該首部から断面円弧状に立ち上がる一対のアーム部とを有し、それら一対のアーム部によって雄側嵌合部の頭部を嵌め込む凹部が形成される雌側嵌合部であってもよい。
雄側嵌合部１３及び雌側嵌合部１４の材質としては、第１の基材１１及び第２の基材１２と同じ材質が使用できる。
【００１６】
第１の基材１１の対向面１１ａにおける雄側嵌合部１３と側端１１ｃとの間には、第１の基材１１の長手方向に沿って４本の第１のリブ１５ａ，１５ｂ，１５ｃ，１５ｄが設けられている。すなわち、第１の基材１１の対向面１１ａにおける雄側嵌合部１３よりも開口部側に、第１の基材１１の長手方向に沿って４本の第１のリブ１５ａ〜１５ｄが設けられている。
また、第２の基材１２の対向面１２ａにおける雌側嵌合部１４と側端１２ｃとの間には、第２の基材１２の長手方向に沿って４本の第２のリブ１６ａ，１６ｂ，１６ｃ，１６ｄが設けられている。すなわち、第２の基材１２の対向面１２ａにおける雌側嵌合部１４よりも開口部側に、第２の基材１２の長手方向に沿って４本の第２のリブ１６ａ〜１６ｄが設けられている。
第１の基材１１と第２の基材１２に、第１のリブ１５ａ〜１５ｄと第２のリブ１６ａ〜１６ｄが設けられていることにより、嵌合具１０によって閉じた袋体の開口部を開く際に充分なグリップ力が確保され、指が滑らずに開口部を容易に開くことができる。具体的には、嵌合具１０によって閉じた袋体の開口部を開く際、袋本体の開口端と共に第１の基材１１及び第２の基材１２における雄側嵌合部１３及び雌側嵌合部１４よりも開口部側を掴み、第１のリブ１５ａ〜１５ｄと第２のリブ１６ａ〜１６ｄにそれぞれ親指を引っ掛けることにより、指が滑り難くなる。そのため、嵌合具１０における第１の基材１１及び第２の基材１２の開口部側を開いて、嵌合具１０の雄側嵌合部１３を雌側嵌合部１４から脱離させることが容易になる。
【００１７】
嵌合具１０は、第１のリブ１５ａ〜１５ｄ及び第２のリブ１６ａ〜１６ｄが、雄側嵌合部１３及び雌側嵌合部１４よりも軟質であることを特徴とする。すなわち、第１のリブ１５ａ〜１５ｄ及び第２のリブ１６ａ〜１６ｄが、雄側嵌合部１３及び雌側嵌合部１４を形成する材料よりも軟らかい材料で形成されていることを特徴とする。これにより、嵌合具１０によって閉じた袋体の開口部を開く際、特に優れたグリップ力が得られ、指が滑り難く、開口部を容易に開くことが可能となる。
従来の嵌合具では、通常、雄側嵌合部及び雌側嵌合部やリブの材質は、基材の対向面側の材質と同じものが使用されており、雄側嵌合部及び雌側嵌合部とリブは同等の硬さになっている。一方、雄側嵌合部と雌側嵌合部は、互いを嵌合するために一定の柔軟性を有しているものの、互いの嵌合によって袋体の開口部をしっかりと閉じる必要があることから、必要以上に変形しすぎることのない材質が選択される。そのため、雄側嵌合部及び雌側嵌合部と同じ材質で形成されるリブも柔軟性が特に大きいものではなく、リブが設けられていても指が滑って開口部を開くことが困難になることがあったと考えられる。
これに対し、嵌合具１０では、第１のリブ１５ａ〜１５ｄ及び第２のリブ１６ａ〜１６ｄが雄側嵌合部１３及び雌側嵌合部１４よりも軟質であることから、第１の基材１１と第２の基材１２の開口部側を掴んだ際に、第１のリブ１５ａ〜１５ｄ及び第２のリブ１６ａ〜１６ｄにおける指で掴まれた部分が指の形状に合わせて変形しやすくなる。その結果、第１のリブ１５ａ〜１５ｄ及び第２のリブ１６ａ〜１６ｄに引っ掛けた指が滑り難くなり、第１の基材１１と第２の基材１２の開口部側を開く力が充分に伝わりやすくなる。
【００１８】
第１のリブ１５ａ〜１５ｄ及び第２のリブ１６ａ〜１６ｄの曲げ弾性率は、３００ＭＰａ以下が好ましく、２５０ＭＰａ以下がより好ましく、２００ＭＰａ以下がさらに好ましい。前記曲げ弾性率が上限値以下であれば、優れたグリップ力が得られ、嵌合具１０によって閉じた開口部を開く際に指が滑り難く、袋体の開口部を開くことが容易になる。
また、第１のリブ１５ａ〜１５ｄ及び第２のリブ１６ａ〜１６ｄの曲げ弾性率は、３０ＭＰａ以上が好ましく、５０ＭＰａ以上がより好ましく、７０ＭＰａ以上がさらに好ましい。前記曲げ弾性率が下限値未満であると、成形する際に困難であり好ましくない。
なお、前記曲げ弾性率は、ＪＩＳ  Ｋ７１７１により規定される値である。
【００１９】
第１のリブ１５ａ〜１５ｄ及び第２のリブ１６ａ〜１６ｄの断面形状は、この例では矩形状である。ただし、第１のリブ１５ａ〜１５ｄ及び第２のリブ１６ａ〜１６ｄの断面形状は特に限定されず、例えば、台形状、三角形状等であってもよい。
なお、第１のリブ１５ａ〜１５ｄ及び第２のリブ１６ａ〜１６ｄの断面形状とは、嵌合具１０を幅方向に沿って切断したときの断面形状である。
第１のリブ１５ａ〜１５ｄ及び第２のリブ１６ａ〜１６ｄの幅及び高さは、指を滑り難くする効果を損なわない範囲であれば特に限定されない。
【００２０】
嵌合具１０では、第１の基材１１の対向面１１ａに４本の第１のリブ１５ａ〜１５ｄが設けられているが、第１の基材１１の対向面１１ａに設けるリブの本数は４本には限定されず、３本以下であってもよく、５本以上であってもよい。同様に、第２の基材１２の対向面１２ａに４本の第２のリブ１６ａ〜１６ｄが設けられているが、第２の基材１２の対向面１２ａに設けるリブの本数は４本には限定されず、３本以下であってもよく、５本以上であってもよい。
第１の基材１１の対向面１１ａに設けるリブの本数は、特に規定はないが、開口部を開く際に指が滑り難くなることから、１〜１０本が好ましく、１〜５本がより好ましい。同様の理由から、第２の基材１２の対向面１２ａに設けるリブの本数は、１〜１０本が好ましく、１〜５本がより好ましい。
第１の基材１１の対向面１１ａに設けるリブの本数と、第２の基材１２の対向面１２ａに設けるリブの本数は、同じであっても異なっていてもよい。
【００２１】
第１のリブ１５ａ〜１５ｄ及び第２のリブ１６ａ〜１６ｄは、第１の基材１１の対向面１１ａ及び第２の基材１２の対向面１２ａに、長手方向に沿って連続的に実線状に設けてもよく、断続的に点線状又は破線状に設けてもよい。
また、第１のリブ１５ａ〜１５ｄ及び第２のリブ１６ａ〜１６ｄは、直線状に設けてもよく、波線状に設けてもよく、折れ線状に設けてもよく、それらを複合した形状に設けてもよい。また、第１のリブ１５ａ〜１５ｄ及び第２のリブ１６ａ〜１６ｄは、第１の基材１１及び第２の基材１２の長手方向に対して傾斜して設けられてもよい。
【００２２】
第１の基材１１の対向面１１ａに設けられた第１のリブ１５ａ〜１５ｄと、第２の基材１２の対向面１２ａに設けられた第２のリブ１６ａ〜１６ｄは、幅方向の位置が互いに揃えられていてもよく、幅方向の位置がずれていてもよい。
また、本実施形態の嵌合具１０のように、基材の対向面に複数本のリブを設ける場合、それら複数本のリブは互いに並行して交わらないようになっていてもよく、互いに交わっていてもよい。
【００２３】
嵌合具１０の製造方法としては、特に限定されず、例えば、第１のリブ１５ａ〜１５ｄ及び第２のリブ１６ａ〜１６ｄを形成する材料と、第１の基材１１、第２の基材１２、雄側嵌合部１３及び雌側嵌合部１４を形成する材料とを組み合わせた二色成形等が挙げられる。
【００２４】
［嵌合具付き袋体］
以下、本発明の嵌合具付き袋体の一例として、前述した嵌合具１０を備えた嵌合具付き袋体１（以下、「袋体１」という。）について説明する。
本実施形態の袋体１は、図２に示すように、内容物を収容する密封された状態の袋本体２０と、袋本体２０の上部の内面に、横方向に沿って取り付けられた嵌合具１０とを具備している。
袋本体２０は、第１のフィルム材２１と第２のフィルム材２２が重ね合わされ、それらの周縁部２３が全てヒートシールされることで形成されており、密封された状態になっている。また、袋本体２０における嵌合具１０よりも上部側には、横方向に沿って切断補助線２４が設けられており、その端部にノッチ２５が形成されている。
嵌合具１０は、図３に示すように、嵌合具１０の第１の基材１１の外面１１ｂが袋本体２０の第１のフィルム材２１に溶着され、嵌合具１０の第２の基材１２の外面１２ｂが袋本体２０の第２のフィルム材２２に溶着されている。また、図２に示すように、嵌合具１０は、第１の基材１１の側端１１ｃ及び第２の基材１２の側端１２ｃが上部側、第１の基材１１の側端１１ｄ及び第２の基材１２の側端１２ｄが下部側に向くように袋本体２０に取り付けられている。すなわち、嵌合具１０は、袋体１の上部側に形成される開口部側に第１のリブ１５ａ〜１５ｄ及び第２のリブ１６ａ〜１６ｄが位置するように袋本体２０に取り付けられている。
【００２５】
袋本体２０の形状は、本実施形態では矩形である。ただし、袋本体２０の形状は矩形には限定されない。また、袋本体２０の大きさも特に限定されず、袋本体２０に収容する内容物によって適宜選定すればよい。
【００２６】
袋本体２０を形成する第１のフィルム材２１と第２のフィルム材２２は、ヒートシールにより嵌合具１０を溶着できるものであればよく、内面側からシーラント層と基材層を少なくとも有する積層フィルムが好ましい。
基材層としては、二軸延伸ナイロン、二軸延伸ポリプロピレン等で形成される層が挙げられる。
シーラント層としては、直鎖状低密度ポリエチレン、無延伸ポリプロピレン、エチレン−酢酸ビニル共重合体、アイオノマー等で形成される層が挙げられる。
また、前記積層フィルムには、バリア層等の機能層を設けてもよい。
また、第１のフィルム材２１と第２のフィルム材２２は、シーラント層のみからなる単層フィルムであってもよい。
【００２７】
切断補助線２４は、袋本体２０を切断して開封するのを補助する線である。切断補助線２４としては、例えば、袋本体２０の第１のフィルム材２１及び第２のフィルム材２２における切断補助線２４の部分をそれ以外の部分に比べて薄肉化した弱化線、ミシン目からなる弱化線、列状に形成された細孔からなる弱化線が挙げられる。また、切断補助線２４は、前記弱化線には限定されず、ハサミやカッター等で切断する位置を示す、印刷等で形成した線であってもよい。
切断補助線２４は、本実施形態では袋本体２０の横方向に沿って形成されているが、この形態には限定されず、袋本体２０の横方向に対して傾斜して設けられていてもよい。
【００２８】
ノッチ２５の形状は、この例では三角形状であるが、特に限定されず、半円形状、直線状等であってもよい。
【００２９】
袋体１は、ノッチ２５から切断補助線２４に沿って袋本体２０の上部を切断して除去することで、図４に示すように、上部に開口部２６を形成して開封することができる。袋体１に形成した開口部２６は、嵌合具１０の雄側嵌合部１３と雌側嵌合部１４を着脱することで繰り返し開閉できる。
袋体１は、嵌合具１０によって閉じた開口部２６を開く際、第１のフィルム材２１の開口端２１ａ及び第２のフィルム材２２の開口端２２ａと共に、嵌合具１０の第１の基材１１及び第２の基材１２の開口部側を掴むことで、第１のリブ１５ａ〜１５ｄ及び第２のリブ１６ａ〜１６ｄによって指が滑り難い。そのため、嵌合具１０の雄側嵌合部１３を雌側嵌合部１４から脱離させて袋体１の開口部２６を容易に開くことができる。
【００３０】
なお、本発明の嵌合具及び嵌合具付き袋体は、前記嵌合具１０及び袋体１には限定されない。
例えば、本発明の効果を損なわない範囲であれば、雄側嵌合部１３と雌側嵌合部１４を嵌合したときに、第１のリブ１５ａ〜１５ｄと第２のリブ１６ａ〜１６ｄが互いに接触し、第１の基材１１と第２の基材１２の開口部側が開いた状態になるようにしてもよい。これにより、袋体の開口端同士が密着して該開口端が掴み難くなることが抑制される。
また、リブは、一方の基材の対向面にのみ設けられていてもよい。袋体の開口部をより容易に開くことができる点では、嵌合具１０のように、両方の基材の対向面にそれぞれリブが設けられていることが好ましい。
また、嵌合具は、嵌合部が二対以上設けられていてもよい。また、嵌合具は、一対の基材の対向面のそれぞれに複数の雄側嵌合部を設け、それら雄側嵌合部の頭部同士を互いに引っ掛けて嵌合するものであってもよく、一対の基材の対向面のそれぞれに雌側嵌合部を設け、それら雌側嵌合部のアーム同士を引っ掛けて嵌合するものであってもよい。
【００３１】
また、嵌合具付き袋体の袋本体は特に限定されず、嵌合具付き袋体の袋本体として知られる様々な形態の袋本体を採用できる。例えば、袋体１は切断補助線２４を利用して開封するまでは密封状態の袋体であったが、予め開口部が形成された袋本体を有する嵌合具付き袋体であってもよい。
【符号の説明】
【００３２】
１・・・嵌合具付き袋体、１０・・・嵌合具、１１・・・第１の基材、１１ａ・・・対向面、１２・・・第２の基材、１２ａ・・・対向面、１３・・・雄側嵌合部、１４・・・雌側嵌合部、１５ａ〜１５ｄ・・・第１のリブ、１６ａ〜１６ｄ・・・第２のリブ、２０・・・袋本体、２１・・・第１のフィルム材、２２・・・第２のフィルム材、２３・・・周縁部、２４・・・切断補助線、２５・・・ノッチ、２６・・・開口部。
【図１】
2014039652.tif 000003
【図２】
2014039652.tif 000004
【図３】
2014039652.tif 000005
【図４】
2014039652.tif 000006